(57)【要約】【課題】  インクの加圧供給時や記憶動作中にインクタンクが取り外されると、インクタンクからインク漏れやインクの飛び散りが発生したり、インク消費量のデータを不揮発性メモリに書き込むことができないという課題がある。【解決手段】  本発明のインクジェット記録装置は、内部を加圧してインクを供給するインクタンクを装着するインクタンクの装着部と、インクタンクから記録ヘッドにインクを供給するインク供給経路と、インク供給経路のインクの供給圧を検知する圧力検知機構と、インクタンクの取り外しを規制する規制機構と、インクタンクに設けられた記憶媒体に情報を書き込む記憶装置を有している。この圧力検知機構が圧力変化を検知し始めてから検知しなくなる前に、記憶装置は記憶媒体に情報を書き込む動作を行う。さらに圧力検知機構が圧力を検知している間は、規制機構はインクタンクの取り外し規制を行う。【選択図】  図１
2010125761.tif 000002
【特許請求の範囲】
【請求項１】
加圧されることでインク貯留部からインクを供給するインクタンクを装着するインクタンクの装着部と、
前記インクタンクから記録ヘッドにインクを供給するインク供給経路と、
前記インク供給経路のインクの供給圧を検知する圧力検知機構と、
前記インクタンクの取り外しを規制する規制機構と、
前記インクタンクに設けられた記憶媒体に情報を書き込む記憶装置と、
を有するインクジェット記録装置であって、
前記圧力検知機構が圧力変化を検知し始めてから、前記圧力検知機構が圧力変化を検知しなくなる前に前記記憶装置が前記記憶媒体に情報を書き込み、前記圧力検知機構が圧力を検知している間は、前記規制機構がインクタンクの取り外しを規制していることを特徴とするインクジェット記録装置。
【請求項２】
前記規制機構は、インクタンクに設けられた被嵌合部と嵌合し、インクタンクの取り外しを阻害するように構成されていることを特徴とする請求項１に記載のインクジェット記録装置。
【請求項３】
前記圧力検知機構はダイヤフラム弁とフォトセンサを有して構成されており、ダイヤフラム弁の変位開始をフォトセンサで検知することで前記記憶装置が前記記憶媒体に情報を書き込むことを特徴とする請求項１又は請求項２に記載のインクジェット記録装置。
【請求項４】
前記規制機構は、電磁石を用いて構成されており、前記圧力検知機構がインクの供給圧を検知しているときは、電流が流されており、インクタンクの取り外しを阻害することを特徴とする請求項１に記載のインクジェット記録装置。
【請求項５】
前記圧力検知機構はインク供給経路に設けられた圧力計であり、インクの供給圧の変化を検知し始めてから、供給圧を検知しなくなる前に前記記憶装置が記憶媒体に情報を書き込むことを特徴とする請求項１又は請求項４に記載のインクジェット記録装置。
【請求項６】
前記インク貯留部は、可撓性を有して構成されていることを特徴とする請求項１乃至５のいずれか１つに記載のインクジェット記録装置。
【請求項７】
インクタンク装着部と、インクタンクから記録ヘッドにインクを供給するインク供給経路と、前記インク供給経路のインクの供給圧を検知する圧力検知機構と、前記インクタンクの取り外しを規制する規制機構と、情報の書き込みを行う記憶装置を有するインクジェット記録装置がインクタンクに設けられた記憶媒体に情報を書き込む情報書き込み方法であって、
前記圧力検知機構が圧力変化を検知し始めてから、前記圧力検知機構が圧力変化を検知しなくなり前記規制機構が前記インクタンクの取り外しの規制を解除する前に、前記記憶装置が前記記憶媒体に情報を書き込むことを特徴とする情報書き込み方法。
【発明の詳細な説明】
【技術分野】
【０００１】
本発明はインクジェット記録装置及び情報書き込み方法に関するものである。
【背景技術】
【０００２】
デスクトップタイプのインクジェット記録装置は、記録媒体の送り方向に直行する方向に往復運動するキャリッジを有しており、そのキャリッジ上にインクジェット記録ヘッド（以下、記録ヘッドとも称する）が搭載されている。キャリッジ上の記録ヘッドが、記録媒体の送り方向に直行する方向に動作する時に、記録信号に応じて記録ヘッドの吐出ノズルからインクが吐出される。この吐出されたインク滴が、記録媒体上に着弾することで、画像や文字等を形成する記録動作が行われる。このように吐出されるインクは、インクジェット記録装置にインクタンクを装着することで供給される。
【０００３】
大型のインクジェット記録装置においては、連続的に記録動作を行うために大容量のインクタンクが用いられている。そのためキャリッジには搭載せず、インクジェット記録装置の一部に着脱自在に設置し可撓性を有するチューブなどによりインクを記録ヘッドに供給するオフキャリッジ構成が採用されている。また、吐出ノズルの高密度化や記録の高速化により、単位時間あたりに必要なインク供給量が増加している。このようなインクジェット記録装置においては、インク供給量をまかなうためにインクタンクの中に形状可変なインク袋を設け、インクタンク内部を加圧しインク袋を圧縮することで、大容量のインク供給が行える加圧供給の構成が用いられている。このような加圧供給の構成では、インク供給中にインクタンクが取り外されるとインクの漏れや飛び散りが発生する可能性があるため、インクタンク内部を加圧している時はインクタンクが取り外せないことが好ましい。
【０００４】
また、近年のインクジェット記録装置に装着されるインクタンクには、インク消費量等の管理を行うためＥＥＰＲＯＭ（以下、不揮発性メモリとも称する）を搭載したものがある。ＥＥＰＲＯＭは、電源を供給していなくても情報を保持し続けることができるため、インクタンクのインク消費量などを記憶するのに用いられている。しかしながら、ＥＥＰＲＯＭは、書き込みを行っている途中に電気的な接続が切られると記憶情報が破壊される可能性がある。そのためＥＥＰＲＯＭへの記憶動作中は電気的な接続が切られるのを防ぐ方法が提案されており、その１例として〔特許文献１〕が開示されている。
【０００５】
〔特許文献１〕に開示されるインクタンクは、外郭ケースの一部が弾性変形可能に構成されている。加圧空気の導入によって弾性変形した部分が、タンクホルダ側に設けられた貫通孔のような系合部に系合することで、インクタンクはインクジェット記録装置にロックされる。ロックされている間にインクタンクに設けられた記憶装置と記録装置との間のデータ通信を行うことで、データの授受を確実に行うことができ、端子機構の接触不良などによるデータ破損を防ぐことができるとされている。
【特許文献１】特開２００３−２００５９０号
【発明の開示】
【発明が解決しようとする課題】
【０００６】
しかし〔特許文献１〕に開示の記録装置は、記憶動作中にインクタンクが取り外されるのを防ぐために、インクタンクの取り外しを規制する加圧状態の制御と、インクタンクに情報の記憶を行う記憶装置の制御を別々に行う必要がある。そのため、インクジェット記録装置の制御処理が煩雑となる可能性がある。また、〔特許文献１〕に開示の記録装置は、インクタンクに加圧により変形する嵌合部を設けているため、インクタンクの構造が複雑となるという課題がある。
【０００７】
本発明は、上記課題を鑑みてなされたものであり、インクタンクの取り外し規制機構の制御と記憶装置の情報書き込みの制御を、一つの機構の状態に連動することで一度に行うことができるインクジェット記録装置及び情報書き込み方法を提供することを目的とする。さらに本発明のよれば、インクタンクの構造を簡易にすることもできる。
【課題を解決するための手段】
【０００８】
本発明によるインクジェット記録装置は、加圧されることでインク貯留部からインクを供給するインクタンクを装着するインクタンクの装着部と、前記インクタンクから記録ヘッドにインクを供給するインク供給経路と、前記インク供給経路のインクの供給圧を検知する圧力検知機構と、前記インクタンクの取り外しを規制する規制機構と、前記インクタンクに設けられた記憶媒体に情報を書き込む記憶装置と、を有するインクジェット記録装置であって、前記圧力検知機構が圧力変化を検知し始めてから、前記圧力検知機構が圧力変化を検知しなくなる前に前記記憶装置が前記記憶媒体に情報を書き込み、前記圧力検知機構が圧力を検知している間は、前記規制機構がインクタンクの取り外しを規制していることを特徴としている。
【０００９】
また、本発明による情報書き込み方法は、インクタンク装着部と、インクタンクから記録ヘッドにインクを供給するインク供給経路と、前記インク供給経路のインクの供給圧を検知する圧力検知機構と、前記インクタンクの取り外しを規制する規制機構と、情報の書き込みを行う記憶装置を有するインクジェット記録装置がインクタンクに設けられた記憶媒体に情報を書き込む情報書き込み方法であって、前記圧力検知機構が圧力変化を検知し始めてから、前記圧力検知機構が圧力変化を検知しなくなり前記規制機構が前記インクタンクの取り外しの規制を解除する前に、前記記憶装置が前記記憶媒体に情報を書き込むことを特徴としている。
【発明の効果】
【００１０】
本発明によれば、インク供給経路に設けた圧力検知機構が圧力を検知している間は規制機構で、インクタンクの取り外しが規制されているため、インクの加圧供給時にインクタンクが取り外されることはない。圧力検知機構が、圧力を検知しなくなると規制機構によるインクタンクの取り外し規制は解除され、容易にインクタンクの取り外しを行うことができる。
【００１１】
また圧力検知機構がインクの供給圧の変化を検知し始めてから、検知しなくなる前までの間に記憶装置による情報の書き込み動作が行われる。インクの供給圧が変化し始めてから、変化が終了し、インクタンクの規制が解除されて取り外し可能になるまでに数秒程度かかるのに対し、記憶媒体への電気的な記憶動作はミリ秒程度で終了するため、規制機構が解除される前に記憶情報を記憶することができる。
【００１２】
このように、圧力検知機構に連動させてインクタンクの取り外し規制機構の制御と記憶装置の制御を行うことで、規制機構と記憶装置の制御を一度に行え、制御処理の簡易化を図ることができる。
【００１３】
さらに、インクジェット記録装置に規制機構を設けることで、インクタンク自体に変形機構を設ける必要がなく、インクタンクの構造を簡易にすることができる。
【発明を実施するための最良の形態】
【００１４】
（第一の実施形態）
図１と図２は本発明を採用したインクジェット記録装置１とインクタンク１０からなるインクジェット記録システムを示している。図１は、インクタンクの取り外しを制御しているインクジェット記録システムの概略図である。図２は、インクタンクの取り外しの制御を解除したインクジェット記録システムの概略図である。
【００１５】
インクタンク１０は、記録装置１に着脱自在に装着することができ、タンクケース１４内部にインク貯留部１１を有して構成されている。タンクケース１４は、記憶媒体として用いられる不揮発性メモリ１７と、インク供給経路２０と密閉接続する供給口の第一のゴム栓１２と、ポンプ５０と密閉接続する圧力口の第二のゴム栓１３と、インクタンクの取り外しを規制する被規制機構１６が設けられている。
【００１６】
インクジェット記録装置１のインク供給機構は、インクタンク１０を装着するインクタンク装着部（不図示）と、インクを一時的に貯留するサブタンク８０と、インクを吐出する記録ヘッド３０と、これを結ぶインク供給経路２０，２１，２２で構成されている。記録に用いられないインク（以下、廃インクと称する）を回収するため、インクジェット記録装置１には、予備吐口４１、吸引キャップ４０、廃インクタンク４３と、これを結ぶ廃インク回収経路４２が設けられている。さらに、インク供給経路２０には圧力検知機構７０と、規制機構６０が設けられている。また、インクタンク１０の不揮発性メモリ１７に記憶動作を行う記憶装置としてコネクタ９０が設けられている。
【００１７】
インクタンク１０は、インク供給経路２０が第一のゴム栓１２への差込と同時に、ポンプ５０に繋がる圧力調整口１５が第二のゴム栓１３に差し込まれることで、インクジェット記録装置１に密閉接続される。インクジェット記録装置１へのインクの供給は、タンクケース１４内部をポンプ５０で加圧し、可撓性を有して構成されたインク貯留部１１を縮小させることで行われる。
【００１８】
インクタンク１０から加圧供給されたインクは、インク供給経路２０，２１，２２を経由して記録ヘッド３０に供給される。インク供給経路２０とインク供給経路２１の間には、インク貯留部１１から供給されたインクの供給圧を検知するための圧力検知機構７０が設けられている。規制機構６０は、圧力検知機構７０と連動しており、インクの圧力を検知している間はインクタンクの取り外しを規制する。
【００１９】
本実施例において圧力検知機構７０は、ダイヤフラム弁７１と圧縮バネ７２と開閉部７３からなる変位機構とフォトセンサ７５で構成されている。ダイヤフラム弁７１は弾性変形可能なゴム部材により形成されており、インクの圧力がかかると膨張変形が起こる。開閉部７３は、ダイヤフラム弁７１に取り付けられており、ダイヤフラム弁の変形に伴いインク供給経路２１の開閉を行う。ダイヤフラム弁７１がインクの圧力により膨張すると、開閉部７３が開き、インク供給経路２１へインクが供給される。インクの加圧供給が停止されるかインク貯留部１１のインクが無くなると、インクの供給圧がなくなり圧縮バネ７２がダイヤフラム弁７１を圧縮した形状に復元する。ダイヤフラム弁７１が復元すると、開閉部７３が閉じ、インク供給経路２１がふさがれる。
【００２０】
本実施例において、インクタンク取り外しの規制を行う規制機構６０として、インクタンクに設けられた被嵌合部１６と嵌合することでインクタンクを固定する嵌合機構が用いられている。嵌合機構６０は、回転中心となる回動軸６１と、インクタンク１０の被嵌合部１６と嵌合する嵌合部６２と、ダイヤフラム弁７１と連動して変位する開閉リンク機構６３で構成されている。
【００２１】
インクタンク１０は、インク供給経路２０に設けられたダイヤフラム弁７１が圧力を検知している間は、嵌合機構６０により取り外しを規制されているため、インクの加圧供給時にインクタンクが取り外されることはない。これにより、インクの加圧供給中にインクタンクを取り外すことで発生するインク漏れやインクの飛び散りは防ぐことができる。
【００２２】
コネクタ９０は、インク消費量などの情報をインクタンク１０の不揮発性メモリ１７に書き込む動作を行う。このような記憶動作は、ダイヤフラム弁７１の変形に連動する開閉リンク機構６３の動きがフォトセンサ７５で検知されることをきっかけとして行われる。フォトセンサ７５は、ダイヤフラム弁７１が膨張している時は開閉リンク機構６３により光軸がさえぎられた状態であり、ダイヤフラム弁７１が復元した時に光軸を検知する。
【００２３】
ダイヤフラム弁７１は、ダイヤフラム弁７１内部に空気が導入することで復元するため、変位開始から変位終了し、インクタンクの規制が解除されて取り外し可能となるのに数秒程度かかる。これに対し、コネクタ９０の情報書き込み動作は、電気的なやり取りであるためミリ秒程度で終了する。
【００２４】
従って（１）ダイヤフラム弁７１の変形し始めてから、ダイヤフラム弁７１の復元が終了する前にコネクタ９０が不揮発性メモリ１７に情報の書き込み動作を行う。（２）ダイヤフラム弁７１が膨張している間は、嵌合部がインクタンクの取り外しを規制する。とすることで、記憶動作中にインクタンク１０が取り外されることを防ぐことができる。さらにダイヤフラム弁７１の変位終了時にインクタンク１０の取り外し規制を解除し、ダイヤフラム弁７１の変位開始をフォトセンサ７５が検知した時に記憶動作を行うようにすれば、確実に記憶動作中にインクタンク１０が取り外されることを防ぐことができる。なお、ダイヤフラム弁７１の変位が復元するとインクタンクの取り外し規制は解除され、容易にインクタンクの取り外しを行うことができる。
【００２５】
また圧力検知機構７０に連動させて、インクタンク１０の取り外しを規制する嵌合機構６０の制御とコネクタ９０の情報書き込み動作の制御を行うことで、嵌合機構６０とコネクタ９０の制御が一度に行え、制御処理の簡易化を図ることができる。さらに、インクジェット記録装置１に設けた嵌合機構６０でインクタンク１０取り外しの規制を行うことで、インクタンク１０自体に変形機構を設ける必要がなく、インクタンク１０の構造を簡易にすることができる。これにより、インクタンク１０の製造コストの削減を行うこともできる。
【００２６】
圧力検知機構７０を通過したインクは、インク供給経路２１を通りサブタンク８０に一時的に貯留される。一定量のインクがサブタンク８０に貯留されると、弁８１が閉じられる。その後、供給ポンプ５２でサブタンク８０内部を加圧することで、インクはインク供給経路２２を通って記録ヘッド３０に供給される。インクジェット記録装置１は、サブタンク８０に一定量のインクを貯留しておくことで、インクタンク１０の交換作業を行う時も記録動作を継続することができる。
【００２７】
記録ヘッド３０は、インク消費に伴う内部圧力変化に応じて伸縮する可撓膜３１により構成される部分を有している。可撓膜３１の伸縮は接合されているアーム３２に伝えられ、この動きにより弁３３の開閉が行われる。この弁３３の開閉により、記録ヘッド３０に供給されるインク量の調整が行われる。インク吐出によりインクが消費されて記録ヘッド３０内部が減圧されると、可撓膜３１が押し下げられアーム３２に動きが伝わり、弁３３が開きインクが供給される。消費分のインクが記録ヘッド３０に供給されると、可撓膜３１はもとの位置に戻り、弁３３が閉まりインクの供給が止まるように構成されている。
【００２８】
廃インクは、予備吐出動作と吸引動作という回復動作によって排出される。予備吐出動作は、吸引キャップ４０にインクを吐出することで行われる。予備吐出動作によって排出された廃インクは、吸引ポンプ５１で吸引され、廃インク回収経路４２を経由して廃インクタンク４３に回収される。また、吸引動作は記録ヘッド３０のインク吐出口を吸引キャップ４０で覆った状態で、吸引ポンプ５１で吸引キャップ４０内に負圧を発生させ、インクを吸引して行われる。このような廃インクも、廃インク回収経路４２を経由して、廃インクタンク４３に回収される。
【００２９】
次に、記録動作におけるインクの流れと各部の動きを説明する。
【００３０】
（記録動作時の各部の動き）
記録動作を行っている時は常にポンプ５０が動作しているため、インクタンク１０のインク貯留部１１は圧縮される方向に力を受けており、インクがインク供給経路２０に供給される。このインクの圧力によりダイヤフラム弁７１が膨張し、これに伴い開閉部７３が開くことで、サブタンク８０にインクが供給される。また、ダイヤフラム弁７１の膨張に連動して、開閉リンク機構６３が変位する。回動軸６１を介した開閉リンク機構６３の動きにより、嵌合部６２はインクタンク１０の被嵌合部１６と嵌合し、インクタンク１０の取り外しを規制する。
【００３１】
フォトセンサ７５は、ダイヤフラム弁７１により常に光軸がさえぎられた状態であり、ダイヤフラム弁７１の復元変形を検知しないため、コネクタ９０によるインクタンク１０の不揮発性メモリ１７への情報書き込み動作は行われない。
【００３２】
記録動作により記録ヘッド３０のインクが減少すると、弁３３が開きサブタンク８０からインクが供給される。サブタンク８０に貯留されるインクが減少すると弁８１が開かれ、インク貯留部１１からインクが供給される。このようにインクが常に記録ヘッド３０へ供給されることで、記録動作が継続される。
【００３３】
（インクが無くなった時における各部の動き）
記録動作中にインク貯留部１１のインクが無くなると、インク供給経路２１のインクの圧力が無くなる。インクの圧力で体積変形していたダイヤフラム弁７１は、圧縮バネ７２の力より、圧縮された形状に復元する。ダイヤフラム弁７１に取り付けられている開閉部７３は、ダイヤフラム弁７１の復元に伴いインク供給経路２２をふさぐことでインクの逆流を防ぐ。嵌合機構６０は、ダイヤフラム弁７１の動きと連動してインクタンクの被嵌合部１６から外れる。これによりインクタンク１０の取り外しが可能となる。さらにダイヤフラム弁７１の形状の復元をフォトセンサ７５が検知することで、インクタンクのインク量が空になったというという情報をコネクタ９０から不揮発性メモリ１７に書き込む動作が行われる。ダイヤフラム弁７１の復元は、内部に空気が導入されることで行われるため、復元の変位開始から変位終了までに数秒程度かかるのに対し、コネクタ９０の情報書き込み動作は、電気的なやり取りであるためミリ秒程度で終了する。
【００３４】
従って（１）ダイヤフラム弁７１の変形し始めてから、ダイヤフラム弁７１の復元が終了する前にコネクタ９０が不揮発性メモリ１７に情報の書き込み動作を行う。（２）ダイヤフラム弁７１が膨張している間は、嵌合部がインクタンクの取り外しを規制する。とすることで、記憶動作中にインクタンク１０が取り外されることを防ぐことができる。さらにダイヤフラム弁７１の復元終了時にインクタンク１０の取り外し規制を解除し、ダイヤフラム弁７１の変位開始をフォトセンサ７５が検知した時に記憶動作を行うようにすれば、確実に記憶動作中にインクタンク１０が取り外されることを防ぐことができる。
【００３５】
なお、インクが無くなった時は、インクタンク１０を加圧した状態のままでも、被嵌合部１６の嵌合は解除されているため、インクタンク１０の取り外しを行うことも可能である。
【００３６】
（インクタンクの加圧解除時における各部の動き）
インターフェース（不図示）上やインクジェット記録装置に設けられる加圧解除釦（不図示）を操作したり、記録動作が終了したりすると、インクタンクの加圧解除が行われ、インクの供給が停止される。
【００３７】
ポンプ５０が停止すると、インク貯留部１１を圧縮する力は働かなくなる。これによりインク供給経路２０のインクの圧力はなくなるため、ダイヤフラム弁７１は圧縮バネ７２の力より復元する。ダイヤフラム弁７１の動きと連動して嵌合機構６０の嵌合が外れるため、インクタンク１０は取り外し可能となる。またフォトセンサ７５がダイヤフラム弁７１の形状の復元を検知することで、その時点におけるインク貯留部１１のインク量の情報を、コネクタ９０から不揮発性メモリ１７に書き込む動作が行われる。
【００３８】
（第二の実施形態）
インクジェット記録装置１は、圧力検知機構７０として、インクの供給圧を検知する圧力計を用い、規制機構６０として電磁石を用いて構成することもできる。圧力計が、インク供給経路２０のインク圧が一定以上であることを検知した時に、電磁石に電流を流すことでインクタンクの取り外しを阻害する。これにより、インクの加圧供給時にインクタンクが取り外されることはなく、インク漏れや飛び散りを防ぐことができる。また、圧力計が供給圧の変化を検知し始めた時に、コネクタ９０が不揮発性メモリ１７に情報書き込み動作を行う。圧力計が検知するインクの供給圧が変化し始めてから、インクの供給圧を検知しなくなりインクタンクの規制が解除され、インクタンク取り外し可能となるまでには数秒程度かかる。これに対しコネクタ９０の情報書き込み動作は、電気的なやり取りであるためミリ秒程度で記録動作は終了する。
【００３９】
従って（１）圧力計がインクの供給圧の変化を検知し始めてから、インクの供給圧が検知されなくなる前にコネクタ９０が不揮発性メモリ１７に情報の書き込み動作を行う。（２）圧力計がインクの圧力を検知している間は、嵌合部がインクタンクの取り外しを規制する。とすることで、記憶動作中にインクタンク１０が取り外されることを防ぐことができる。さらに圧力計が圧力を検知しなくなった時に電磁石による規制を解除し、圧力計が圧力変化を検知し始めた時に、記憶動作を行うようにすれば、記憶動作中にインクタンク１０が取り外されることを確実に防ぐことができる。なお、圧力計の圧力を検知しなくなるとインクタンクの取り外し規制は解除され、容易にインクタンクの取り外しを行うことができる。
【００４０】
また、このように圧力計に連動させて、インクタンクの取り外しを規制する電磁石の制御とコネクタ９０の制御を同時に行うことで、制御処理の簡易化を図ることができる。さらに、インク供給経路の圧力計に連動させた電磁石によりインクタンク取り外し規制を行うことで、インクタンク１０自体に変形機構を設ける必要がなく、インクタンク１０の構造を簡易にすることができる。これにより、インクタンク１０の製造コストの削減を行うことができる。
【図面の簡単な説明】
【００４１】
【図１】本発明におけるインクの加圧供給時にインクタンクを固定したインクジェット記録システムを示す概略図
【図２】本発明におけるインクタンクの固定を解除したインクジェット記録システムを示す概略図
【符号の説明】
【００４２】
１  インクジェット記録装置
１０  インクタンク
１１  インク貯留部
１６  被嵌合部
１７  記憶媒体（不揮発性メモリ）
２０  インク供給経路
２１  インク供給経路
２２  インク供給経路
３０  記録ヘッド
５０  加圧機構（ポンプ）
６０  規制機構
７０  圧力検出機構
７１  ダイヤフラム弁
７５  検出機構（フォトセンサ）
９０  記憶装置（コネクタ）
【図１】
2010125761.tif 000003
【図２】
2010125761.tif 000004